(57)【要約】  【課題】  景品や商品を包装容器内に固定できると共に包装容器の重心が低いので収容した景品や商品が常に上を向き見え易く見栄えがし、管理者等が包装容器の向きを変える作業を要さず、また、包装容器が起上り小法師状に揺動するのでゲーム性を高めることができる包装容器を提供することを目的とする。  【解決手段】  本発明の包装容器１は、複数の分割容器２ａ，２ｂにより形成された容器本体４と、容器本体４の外周面の所定部に形成された曲面部３と、容器本体４の内周面に固定され容器本体４の内部に配設された板状の支持体９と、支持体９の所定部に穿設された収容物挿着孔１０と、を備え、支持体９が容器本体４の重心から曲面部３側に偏心した位置に配設された構成を有する。【選択図】  図１
2006290450.tif 000002
【特許請求の範囲】
【請求項１】
複数の分割容器により形成された容器本体と、前記容器本体の外周面の所定部に形成された曲面部と、前記容器本体の内周面に固定され前記容器本体の内部に配設された板状の支持体と、前記支持体の所定部に穿設された収容物挿着孔と、を備え、前記支持体が前記容器本体の重心から前記曲面部側に偏心した位置に配設されていることを特徴とする包装容器。
【請求項２】
前記容器本体がその内周面の所定部に形成された支持体係止部を備えていることを特徴とする請求項１に記載の包装容器。
【請求項３】
可撓性部材又は弾性部材により形成され前記容器本体の容器本体の内周面に立設された支柱部と、前記支柱部の上端部に配設された前記支持体と、を備えていること特徴とする請求項１に記載の包装容器。
【請求項４】
前記収容物挿着孔の周縁部に形設された１乃至複数の収容物保持部を備えていることを特徴とする請求項１乃至３の内いずれか１項に記載の包装容器。
【請求項５】
前記容器本体の外周面の前記曲面部の周囲に形成されたフランジ部を備えていることを特徴とする請求項１乃至４の内いずれか１項に記載の包装容器。
【発明の詳細な説明】
【技術分野】
【０００１】
本発明は、ゲーム装置等の景品や小型の玩具、ぬいぐるみ等その他の商品を収容する包装容器に関するものである。
【背景技術】
【０００２】
従来、ゲームセンターやスーパーマーケット等に設置されるゲーム装置として、前後及び左右、上昇、下降すると共に掴み動作又はすくい上げ動作を行うクレーン部やシャベル部等を操作し、景品を景品落とし口に落として獲得する景品獲得型のゲーム装置が広く普及している。このようなゲーム装置の景品としては小型の玩具やぬいぐるみ、キーホルダー等が用いられる。なお、景品はそのままゲーム装置内に投入される場合もあるが、景品同士の接触やクレーン部等からの落下時の衝撃から保護する又はゲーム装置の特性に適合させる或いはゲーム性を高める等の理由で、包装容器内に収容された状態で投入される場合もある。包装容器としては、通常、２個の透明な半球状の分割容器の開口部縁部同士を嵌脱自在に嵌合し、球状に形成されたものが用いられる。このような包装容器としては、特許文献１乃至３に開示されたものがある。
【０００３】
特許文献１には「複数のカプセル片を互いに連結させてなるカプセル内の収容空間に景品と共に収納された状態で景品及びカプセル片と係合し、収容空間内における景品の移動を規制する移動規制手段を備えた景品移動防止具」が記載されている。なお、移動規制手段としては、カプセル片との係合支持により収容空間内に位置決め収納される円板状等の支持部材と、景品を支持部材に巻き付けて固定する可撓性を有する線材からなる固定部材と、を用いることが記載されている。
【０００４】
特許文献２には「２個の透明な半球体を、弾性を有する半硬質の素材で形成されたリングで接合して球形のカプセルを構成し、リングの内周に支持部を形成し、カプセルの内部において支持部間に橋架された支持体に賞品を取り付けた賞品球」が記載されている。なお、支持体に賞品を取り付ける手段としては、狭着片により狭着する手段や、紐や針金等により緊縛する手段等が記載されている。
【０００５】
特許文献３には「透明または不透明な合成樹脂材の成形容器からなり上下に分割成形して開閉可能に構成された容器の外形を球形または玉子形に形成し、収容室の底部に、この容器を一定姿勢に保つ錘を配備してなる包装容器」が記載されている。
【０００６】
【特許文献１】特開平９−１１００６８号公報
【特許文献２】実開平６−８６７８９号公報
【特許文献３】実開平２−８３２１０号公報
【発明の開示】
【発明が解決しようとする課題】
【０００７】
しかしながら、上記従来の技術では以下のような課題を有していた。
（１）特許文献１の「景品移動防止具」では、景品をカプセルに収容する作業を行う際に景品及び支持部材に一々線材を巻き付けて固定しなければならず作業が煩雑であり、また、景品獲得時において景品をカプセルから取り出す際に線材を解かなければならず煩雑であるという課題を有していた。
（２）特許文献２の「賞品球」では、賞品をカプセルに収容する作業を行う際に挟持片を持ち上げて挟持片と支持体との間に賞品を挿入したり、紐や針金等により賞品と支持体とを緊縛したり、支持体に形成された切欠に賞品を押し込んだりしなければならず作業が煩雑であり、また、景品獲得時において景品をカプセルから取り出す際に紐、針金等を解いたり賞品を挟持片や切欠から外さなければならず煩雑であるという課題を有していた。
（３）特許文献１及び特許文献２では、ゲームが行われる度に或いはゲーム装置内の可動部分が可動する度に、容器が転がってその向きを変え、支持部材等が邪魔して景品が見えなかったり景品が下向きになったりするので、ゲームセンターの店員等のゲーム装置を管理する者は景品が見え易いように容器の向きを上向き等に変えてやる作業を一日に何度も行わなければならず、作業が煩雑であり管理する者にとって大きな負担になるという課題を有していた。
（４）また、景品獲得時においては、単に景品を収容した容器が転がって、そのまま景品落とし口に落ちるだけなのでゲーム性に欠けるという課題を有していた。
（５）特許文献３の「包装容器」では、景品を単に包装容器内に収容しただけでは美しくなく見栄えがしないと共に、ゲーム装置内等において包装容器が転がる度に容器の内壁に接触するため傷つき易いという課題を有していた。
【０００８】
本発明は、上記従来の課題を解決するもので、景品や商品を包装容器内に固定できると共に包装容器の重心が低いので収容した景品や商品が常に上を向き見え易く見栄えがし、管理者等が包装容器の上下の向きを変える作業を要さず、また、包装容器が起上り小法師状に揺動するのでゲーム性を高めることができる包装容器を提供することを目的とする。
【課題を解決するための手段】
【０００９】
上記課題を解決するために本発明の包装容器は、以下の構成を有している。
本発明の請求項１に記載の包装容器は、複数の分割容器により形成された容器本体と、前記容器本体の外周面の所定部に形成された曲面部と、前記容器本体の内周面に固定され前記容器本体の内部に配設された板状の支持体と、前記支持体の所定部に穿設された収容物挿着孔と、を備え、前記支持体が前記容器本体の重心から前記曲面部側に偏心した位置に配設された構成を有している。
【００１０】
この構成により、以下のような作用を有する。
（１）景品や商品等の収容物を支持体の収容物挿着孔に挿着して固定できるので、容器本体内に収容物を収容する作業が容易であり、また景品獲得後に景品を取り出すのも容易にできる。
（２）支持体の重量又は収容物の重量により、収容物を収容した容器本体の重心が曲面部側に偏心しているので、ゲーム装置内等において収容物が常に上を向き、操作者（プレーヤー）が景品等の収容物を視認し易く且つ見栄えがすると共に、包装容器の向きを変える作業を行う必要がなく管理が容易である。
（３）包装容器の重心が曲面部側にあるので、収容物が上を向いた状態で包装容器が起上り小法師状に揺動し、例えばゲーム装置の景品落とし口の手前で包装容器が揺動して落ちそうで落ちない状態等を作り出すことができ、ゲーム性を高めることができる。
【００１１】
ここで、容器本体の形状としては、一部又は全部に曲面部を有する球形状、卵形状、達磨形状、しずく形状、俵形状等が用いられる。
複数の分割容器の分割数は限定されるものではなく、２分割として各々半球状等に形成し合体させて容器本体を球形状等としてもよく、３分割として一対の半球形状の分割容器間に円筒状の分割容器を介設しこれらを合体させて容器本体を俵形状としてもよい。
容器本体の材質としては、ポリエチレン（ＰＥ）、ポリエチレンテレフタレート（ＰＥＴ）、ポリスチレン（ＰＳ，ＧＰＰＳ）、ポリプロピレン（ＰＰ）、アクリル樹脂、ポリカーボネート（ＰＣ）、ポリ塩化ビニル（ＰＶＣ）、ポリアミド（ＰＡ）やこれらにガラス繊維や炭素繊維等を配合し強化したもの等が用いられる。特に、ＧＰＰＳは透明度及び強度が高くコストが低いので好適に用いられる。容器本体は無色透明であってもよく、有色透明又は半透明であってもよい。また、容器本体を形成する分割容器の内、１乃至複数の分割容器、例えば収容物の上方の位置にある分割容器を透明又は半透明な材質により形成しその他の分割容器を不透明な材質により形成してもよい。
また、容器本体の下部の分割容器の材質として比較的密度の大きいＰＶＣ等を用い、上部の分割容器の材質として比較的密度の小さいＰＰ、ＰＥ等を用いれば、容器本体の重心が低くなる（曲面部側へ偏心する）ので揺動時の安定性を高めることができる。なお、容器本体の上部の分割容器に１乃至複数の孔部を形成し、又は、上部の分割容器として網状や籠状に形成されたもの或いは複数のアーチ状部材をその中間部で交差させて接合したもの等を用いることにより上記と同様の作用効果が得られる。
【００１２】
支持体の形状としては、円形状、楕円形状、多角形状等の板状や網状等が用いられ、その外周部を容器本体の内周面に係止等して固定する。支持体の材質としては、紙材、上記したような合成樹脂材に加えシリコーン樹脂や合成ゴム、天然ゴム、厚手のフェルト等の布、或いは鉄等の金属材等が用いられる。また、ピアノ線、合成樹脂や金属等の長尺板体や合成樹脂の棒体等の可撓性部材又はコイルバネ等の弾性部材からなる支柱部を設け、その上端部に支持体を略Ｔ字状等に支持することもできる。この場合、支柱部の下端部は容器本体の内周面に固着される、又は、該内周面に形成された凹溝状等の支持体嵌合部に嵌合固定される。
収容物挿着孔の形状としては、円形状、楕円形状、多角形状等が用いられる。なお、収容物挿着孔を形成する場合、所定部を円形状等に切り抜いて形成してもよく、或いは支持体の所定部に中心点から放射状に複数の切り込み（例えば米印状等の切り込み）を形成し形成される複数（例えば８個）の爪部分を下方又は上方に折り曲げて収容物保持部を形成してもよい。
【００１３】
本発明の請求項２に記載の発明は、請求項１に記載の包装容器であって、前記容器本体がその内周面の所定部に形成された支持体係止部を備えた構成を有している。
【００１４】
この構成により、請求項１の作用に加え、以下のような作用を有する。
（１）板状の支持体の外周部を支持体係止部に係止するだけで支持体が容器本体に固定されるので、支持体を容器本体の内部に配置する作業を容易に行うことができる。
【００１５】
ここで、支持体係止部としては、容器本体の内周面の所定高さに全周又は部分的に形成された突起や突条等が用いられる。支持体係止部に連設して凹溝状、断面コ字状の支持体収納部を形成する場合もある。なお、支持体係止部や支持体収納部は分割容器の金型成形時に同時に形成することができる。
【００１６】
本発明の請求項３に記載の発明は、請求項１に記載の包装容器であって、可撓性部材又は弾性部材により形成され前記容器本体の容器本体の内周面に立設された支柱部と、前記支柱部の上端部に配設された前記支持体と、を備えた構成を有している。
【００１７】
この構成により、請求項１の作用に加え、以下のような作用を有する。
（１）支柱部がピアノ線、合成樹脂や金属等の長尺板体等の可撓性部材又はコイルバネ等の弾性部材により形成されているので、支持体及び収容物を容器本体の内部で揺動させることができる。また、包装容器の揺動と共に容器本体内で収容物を揺動させることにより、包装容器の動きが不規則になりゲーム装置に用いた場合はゲーム性を高めることができる。
【００１８】
本発明の請求項４に記載の発明は、請求項１乃至３の内いずれか１項に記載の包装容器であって、前記収容物挿着孔の周縁部に形設された１乃至複数の収容物保持部を備えた構成を有している。
【００１９】
この構成により、請求項１乃至３の内いずれか１項の作用に加え、以下のような作用を有する。
（１）収容物保持部により収容物挿着孔に挿着した収容物を保持することができ、例えばゲーム装置においてクレーン部等からの落下時の衝撃によっても収容物が簡単に外れることなく収容物を確実に保持することができる。
（２）収容物保持部により収容物を確実に保持できるので、収容物挿着孔を収容物より大きめに形成することができ、容器本体内に収容物を収容する作業を容易に行うことができる。
【００２０】
本発明の請求項５に記載の発明は、請求項１乃至４の内いずれか１項に記載の包装容器であって、前記容器本体の外周面の前記曲面部の周囲に形成されたフランジ部を備えた構成を有している。
【００２１】
この構成により、請求項１乃至４の内いずれか１項の作用に加え、以下のような作用を有する。
（１）包装容器が起上り小法師状に揺動する際にフランジ部により包装容器の揺れ幅を制限できるので安定して揺動し見栄えがすると共に、ゲーム装置内等においてクレーン部等から勢いよく投下されても必要以上に転動することを防止でき、ゲーム性を高めることができる。
（２）複数の分割容器の開口部の外周部に各々フランジ部を形成し、該フランジ部に容器本体の閉止手段を設けることにより、容器本体の開閉作業が容易に行えると共に、閉止手段をフランジ部の端部近傍等の種々の位置に形成することができ生産性を向上できる。
【発明の効果】
【００２２】
以上説明したように本発明によれば、以下のような有利な効果が得られる。
請求項１に記載の発明によれば、
（１）収容物を収容物挿着孔に挿着して固定できるので、容器本体内に収容物を収容する作業が容易であり、また景品獲得後に景品を取り出すのも容易にできる包装作業性及び取り扱い性に優れた包装容器を提供することができる。
（２）収容物を収容した容器本体の重心が曲面部側に偏心しているので、ゲーム装置内等において収容物が常に上を向き、操作者（プレーヤー）が景品等の収容物を視認し易く且つ見栄えがすると共に、包装容器の向きを変える作業を行う必要がなく管理が容易である管理性に優れた包装容器を提供することができる。
（３）包装容器の重心が曲面部側にあるので、収容物が上を向いた状態で包装容器が起上り小法師状に揺動し、例えば景品落とし口の手前で包装容器が揺動して落ちそうで落ちない状態等を作り出すことができ、ゲーム性を高めることができる包装容器を提供することができる。
【００２３】
請求項２に記載の発明によれば、請求項１の効果に加え、
（１）板状の支持体の外周部を支持体係止部に係止するだけで支持体が容器本体に固定されるので、支持体を容器本体の内部に配置する作業を容易に行うことができる配置作業性に優れた包装容器を提供することができる。
【００２４】
請求項３に記載の発明によれば、請求項１の効果に加え、
（１）支柱部が可撓性部材又は弾性部材により形成されているので、支持体及び収容物を容器本体の内部で揺動させることができ、ゲーム装置等に用いた場合は、見栄えがし操作者の注意を引くことができ、ゲーム性を高めることができる包装容器を提供することができる。
【００２５】
請求項４に記載の発明によれば、請求項１乃至３の内いずれか１項の効果に加え、
（１）収容物保持部により収容物挿着孔に挿着した収容物を保持することができ、収容物を確実に保持できる確実性に優れた包装容器を提供することができる。
（２）収容物保持部により収容物を確実に保持できるので、収容物挿着孔を収容物より大きめに形成することができ、容器本体内に収容物を収容する作業を容易に行うことができる作業性に優れた包装容器を提供することができる。
【００２６】
請求項５に記載の発明によれば、請求項１乃至４の内いずれか１項の効果に加え、
（１）フランジ部により包装容器の揺れ幅を制限できるので安定して揺動し見栄えがすると共に、ゲーム装置内等においてクレーン部等から勢いよく投下されても必要以上に転動することを防止でき、ゲーム性を高めることができる包装容器を提供することができる。
（２）複数の分割容器の開口部の外周部に各々フランジ部を形成し、該フランジ部に容器本体の閉止手段を設けることにより、容器本体の開閉作業が容易に行え開閉作業性に優れ、閉止手段をフランジ部の端部近傍等の種々の位置に形成することができ生産性に優れた包装容器を提供することができる。
【発明を実施するための最良の形態】
【００２７】
以下、本発明の一実施の形態について、図１乃至図６を用いて説明する。
（実施の形態１）
図１は本実施の形態１における包装容器の斜視図であり、図２（ａ）は本実施の形態１における包装容器の要部縦断面図であり、図２（ｂ）は支持体の平面図である。
図中、１は本実施の形態１における包装容器、２ａは略半球状や略砲弾状に形成された上側分割容器、２ｂは球面の一部を切り取った形状に形成された下側分割容器、３は下側分割容器２ｂの底面に形成された球面状の曲面部、４は上側分割容器２ａと下側分割容器２ｂとを後述の係合凸部と係合凹部で係合して略球状に形成された容器本体、５ａは上側分割容器２ａの開口部の縁部の周囲に一体形成された上側フランジ部、５ｂは下側分割容器２ｂの開口部の縁部の周囲に一体形成された下側フランジ部、６ａは上側フランジ部５ａの内面の所定部に形成された係合凸部、６ｂは下側フランジ部５ｂの外面の所定部に形成された係合凹部、７は上側フランジ部５ａと下側フランジ部５ｂとを回動自在に連結する回動連結部、８は下側分割容器２ｂの縁部近傍の内面側に全周に渡って形成された支持体収納部、８ａは支持体収納部８の上部に内側に突状に形成された支持体係止部、９は外周部が支持体収納部８に収納されると共に支持体係止部８ａに係止され容器本体４の内部に配設された円板状の支持体、１０は支持体９の略中央部に形成された収容物挿着孔、１１は収容物挿着孔１０の周縁部に形設された１乃至複数の収容物保持部、１１ａは折り曲げ線、Ｘは景品等の収容物である。
【００２８】
ここで、上側分割容器２ａ及び下側分割容器２ｂ、上側フランジ部５ａ、下側フランジ部５ｂ、回動連結部７は、ＰＥ、ＰＥＴ、ＰＳ、ＧＰＰＳ、ＰＰ、アクリル樹脂、ＰＣ、ＰＶＣ、ＰＡやこれらにガラス繊維や炭素繊維等を配合し強化したもの等を材質として一体形成され、その厚みは０．１ｍｍ〜３ｍｍ程度に形成されている。回動連結部７は、上側分割容器２ａと下側分割容器２ｂとが開いた状態で断面半円形状となるように形成され、上側分割容器２ａと下側分割容器２ｂの開口部同士を合わせて容器本体４を閉じると断面略円形状に撓み、これにより上側分割容器２ａと下側分割容器２ｂとは開閉自在となっている。
支持体９は紙材や合成樹脂材等の厚さ０．５ｍｍ〜２ｍｍ程度の板状体からなり、下側分割容器２ｂの開口部と略同形状に形成されている。支持体９の上面には適宜彩色や模様等を施して収容物Ｘが見栄えするようにしてもよい。収容物挿着孔１０は、図２（ｂ）に示すように支持体９の略中央部に支持体９の中心点から放射状に複数の切り込みを形成し、形成された複数の爪部分（収容物保持部１１）を折り曲げ線１１ａで下方に折り曲げて形成されている。収容物挿着孔１０の位置は支持体９の中央部に限られるものではなく、また、収容物挿着孔１０を複数形成してもよい。
【００２９】
以上のように構成された本実施の形態１における包装容器１について、以下収容物Ｘの包装方法を図１及び図２を用いて説明する。
収容物Ｘを包装容器１で包装するには、まず、上側分割容器２ａと下側分割容器２ｂを開いた状態で下側分割容器２ｂに形成された支持体収納部８の上部の支持体係止部８ａの上面から収容物保持部１１を下向きにした状態で支持体９の外周部を嵌合し、支持体９を支持体収納部８内に配設する。なお、下側分割容器２ｂはＰＥＴ等の可撓性を有する合成樹脂で厚さ０．１ｍｍ〜３ｍｍ程度に形成されているので、支持体係止部８ａに支持体９を押し込めば容易に撓んで支持体収納部８に収納される。次に、収容物Ｘを支持体９の収容物挿着孔１０に挿入し収容物保持部１１により保持固定する。次に、上側分割容器２ａと下側分割容器２ｂとをその開口部の縁部同士を合わせるようにして回動連結部７を中心として回動させて閉じ、上側フランジ部５ａと下側フランジ部５ｂを重ねて係合凸部６ａと係合凹部６ｂを係合する。
【００３０】
次に、収容物Ｘが収容された包装容器１の動作について図１及び図２を用いて説明する。
包装容器１はゲーム装置内等の台部上で転動し、その勢いが小さくなると曲面部３を下にして起上り小法師状に揺動する。これは、略球形の容器本体４の中心、すなわち容器本体４の重心から曲面部３が形成された下側分割容器２ｂ側に偏心した位置に支持体９が配設されているため、包装容器１に収容された収容物Ｘの重量又は支持体９の重量により、包装容器１が低重心となっているためである。また、上側フランジ部５ａ及び下側フランジ部５ｂにより包装容器１の揺れ幅は制限されるので、台部上で必要以上に転動することなく短い距離で止まった後、安定して揺動する。
【００３１】
次に、収容物Ｘが収容された包装容器１を用いたゲーム装置の動作について図３を用いて説明する。
図３はゲーム装置の要部概略縦断面図である。
図３において、２１はゲーム装置、２２はゲーム装置２１の側面外装部、２３はゲーム装置２１の側面から上面に渡って覆設された半球状の透明外装部、２４はゲーム装置２１内の後述の下側台部より高い位置に配設された上側台部、２５は上側台部２４の側部に形成された景品落とし口、２６は側面外装部に形成され景品落とし口２５の下部に連通する景品取り出し口、２７は上側台部２４の上面に配設され景品落とし口２６に向かって進退する可動台部、２８は操作部２９の操作によりゲーム装置２１内において前後及び左右に移動可能であると共に上昇及び下降並びに掴み動作が可能なクレーン部である。なお、図示していないが、ゲーム装置２１の内部には収容物を収容した複数の包装容器１やその他の複数の景品が載置された下側台部が配設されている。
【００３２】
まず、操作者は操作部２９を操作してクレーン部２８を前後及び左右に移動させ下側台部に載置された複数の包装容器又は景品の内、選択した包装容器又は景品の上方で停止させる。次にクレーン部２８を下降させクレーンを閉じて包装容器又は景品を掴んだ後上昇させる。本実施の形態１においては、包装容器１′を掴んだ場合について説明するが、下側台部に載置された別の小型の玩具やぬいぐるみ、菓子等の包装容器に収容されていない景品であってもよい。次に、クレーン部２８を可動台部２７の上方に移動させ停止させる。停止後クレーン部２８はクレーンを開いて包装容器１′を落下させる。落下した包装容器１′は可動台部２７上の別の包装容器１に接触し包装容器１は可動台部２７から上側台部２４に転落し、その勢いで或いは可動台部２７の進退により押されて景品落とし口２５に向かって転がる。なお、可動台部２７から転落した包装容器１が上側台部２４上の別の包装容器１に接触し、その別の包装容器１が景品落とし口２５に向かって転がる場合もある。転がった包装容器１は、そのまま景品落とし口２５に落下して景品獲得となる場合もあるが、転がる勢いが小さい場合等には上側台部２４の縁部近傍等で起上り小法師状に揺動する。これにより、包装容器１が落ちて景品獲得となることに対する期待と落ちずに獲得失敗となることに対する不安とを操作者に感じさせ、景品を獲得できた時はその喜びが大きくなり、獲得に失敗した時でも面白さを感じさせることができる。
【００３３】
以上のように本実施の形態１における包装容器１は構成されているので、以下のような作用を有する。
（１）板状の支持体９の外周部を支持体係止部８ａに嵌入させ支持体収納部８に収納するだけで支持体９が下側分割容器２ｂに固定され容器本体４内に配設されるので、支持体９を配置する作業を容易に行うことができる。
（２）収容物Ｘを支持体９の収容物挿着孔１０に挿着して固定できるので、容器本体４内に収容物Ｘを収容する作業が容易であり、またゲーム装置２１において景品獲得後に操作者が取り出すのも容易である。
（３）支持体９の重量又は収容物Ｘの重量により、収容物Ｘを収容した包装容器１の重心が底面の曲面部３側に偏心しているので、ゲーム装置２１の上側台部２４上や下側台部上、可動台部２７上において収容物Ｘが常に上を向き、操作者が収容物Ｘを視認し易く且つ見栄えがすると共に、管理者が包装容器１の上下の向きを変える作業を行う必要がなく管理が容易である。
（４）包装容器１の重心が曲面部３側にあるので、収容物Ｘが上を向いた状態で包装容器１が起上り小法師状に揺動し、ゲーム装置２１の景品落とし口２５の手前で包装容器１が揺動して落ちそうで落ちない状態等を作り出すことができ、ゲーム性を高めることができる。
（５）収容物保持部１１により収容物挿着孔１０に挿着した収容物Ｘを保持することができ、ゲーム装置２１においてクレーン部２８からの落下時の衝撃によっても収容物Ｘが簡単に外れることなく収容物Ｘを確実に保持することができると共に、収容物保持部１１により収容物Ｘを確実に保持できるので、収容物挿着孔１０を収容物Ｘより大きめに形成することができ、容器本体４内に収容物Ｘを収容する作業を容易に行うことができる。
（６）包装容器１が起上り小法師状に揺動する際に上側フランジ部５ａ及び下側フランジ部５ｂの下端面等により包装容器１の揺れ幅を制限できるので安定して揺動し見栄えがすると共に、ゲーム装置２１内においてクレーン部２８から勢いよく投下されても必要以上に転動することを防止でき、ゲーム性を高めることができる。
（７）上側フランジ部５ａの係合凸部６ａと下側フランジ部５ｂの係合凹部６ｂを係合して容器本体を閉止しているので、容器本体の開閉作業が容易に行え開閉作業性に優れると共に、係合凸部６ａや係合凹部６ｂ等の閉止手段をフランジ部５ａ，５ｂの端部近傍等の種々の位置に形成することができ生産性に優れる。
（８）包装容器１の重心が底面の曲面部３側にあるので容器本体４内の収容物Ｘを常に上側に向かせることができる。このため、下側分割容器２ｂとして透明な材質を用いる必要がなく、材質の選択の幅が広がりコストを低減することができる。また、材質の変更が容易なので下側分割容器２ｂの材質として上側分割容器２ａより密度の大きいものを調整しながら自由に選択することができ、容器本体４の重心の位置を制御し易く安定化を図り易い。
【００３４】
（実施の形態２）
図４は本実施の形態２における包装容器の要部縦断面図である。
図中、３１は本実施の形態２における包装容器、３２ａ，３２ｂは各々略半球状に形成された上側分割容器及び下側分割容器、３３は上側分割容器３２ａと下側分割容器３２ｂにより形成された略球状の容器本体、３４ａは上側分割容器３２ａの縁部の全周に渡って形成された上側嵌合部、３４ｂは下側分割容器３２ｂの縁部の全周に渡って形成された下側嵌合部、３５は下側分割容器３２ｂの上縁部から底部までの略中間の高さに凹溝状に形成された支持体収納部、３５ａは支持体収納部３５の上端部の内側に突状になった支持体係止部、である。なお、図４において、実施の形態１で説明したものと同様のものは同一の符号を付けて説明を省略する。
【００３５】
以上のように構成された本実施の形態２における包装容器３１について、以下収容物Ｘの包装方法を図４を用いて説明する。
収容物Ｘを包装容器３１で包装するには、まず、上側分割容器３２ａと下側分割容器３２ｂを開いた状態で下側分割容器３２ｂに形成された支持体係止部３５ａに支持体９の外周部を嵌合し、支持体９を支持体収納部３５内に収納する。次に、収容物Ｘを支持体９の収容物挿着孔１０に挿着する。収容物挿着孔１０の内径を収容物Ｘの胴部等の外径と略同径又は僅かに小径に形成することにより、収容物Ｘを確実に保持することができる。次に、上側分割容器３２ａと下側分割容器３２ｂの開口部の縁部同士を合わせ、上側嵌合部３４ａと下側嵌合部３４ｂを嵌合して容器本体３３を閉じる。
なお、収容物Ｘが収容された包装容器３１の動作及び収容物Ｘが収容された包装容器３１を用いたゲーム装置の動作は、実施の形態１で説明したものを同様であるので説明を省略する。
【００３６】
以上のように本実施の形態２における包装容器３１は構成されているので、実施の形態１の作用に加え、以下のような作用を有する。
（１）上側分割容器３２ａ及び下側分割容器３２ｂを各々略同一の半球状に形成し、また、フランジ部及び収容物保持部を設けていないので、構造が簡単で生産性に優れる。
【００３７】
（実施の形態３）
図５は本実施の形態３における包装容器の要部縦断面図である。
図中、５１は本実施の形態３における包装容器、５２ａ，５２ｂは各々略半球状に形成された左側分割容器及び右側分割容器、５３は左側分割容器５２ａと右側分割容器５２ｂにより形成された略球状の容器本体、５４は容器本体５３の底面に形成された曲面部、５５ａは左側分割容器５２ａの縁部の全周に渡って形成された左側嵌合部、５５ｂは右側分割容器５２ｂの縁部の全周に渡って形成された右側嵌合部、５６ａ，５６ｂは左側分割容器５２ａ及び右側分割容器５２ｂの各々に略１／４の高さに形成された支持体収納部、５７は支持体収納部５６ａ，５６ｂに収納される円板状の支持体、５８は支持体５７の略中央部に形成された収容物挿着孔、５９は収容物挿着孔５８の周縁部に形設された１乃至複数の収容物保持部である。なお、図５において、実施の形態１で説明したものと同様のものは同一の符号を付けて説明を省略する。
【００３８】
以上のように構成された本実施の形態３における包装容器５１について、以下収容物Ｘの包装方法を図５を用いて説明する。
収容物Ｘを包装容器５１で包装するには、まず、収容物Ｘを支持体５７の収容物挿着孔５８に挿入し収容物保持部５９により保持固定する。次に、左側分割容器５２ａと右側分割容器５２ｂを開いた状態で、左側分割容器５２ａの支持体収納部５６ａに支持体５７の外周部の左側半周を収納する。次に、左側分割容器５２ａと右側分割容器５２ｂの開口部の縁部同士を合わせながら支持体５７の右側半周を支持体収納部５６ｂに収納し、左側嵌合部５５ａと右側嵌合部５５ｂを嵌合して容器本体５３を閉じる。
なお、収容物Ｘが収容された包装容器５１の動作及び収容物Ｘが収容された包装容器５１を用いたゲーム装置の動作は、実施の形態１で説明したものを同様であるので説明を省略する。
【００３９】
以上のように本実施の形態３における包装容器５１は構成されているので、実施の形態１又は２の作用と同様の作用を有する。
【００４０】
（実施の形態４）
図６は本実施の形態４における包装容器の要部縦断面図である。
図中、６１は本実施の形態４における包装容器、６２は容器本体３３の下側分割容器３２ｂの底面略中央部に形成された凹溝状の支持体嵌合部、６３はピアノ線、合成樹脂や金属等の長尺板体等の可撓性部材又はコイルバネ等の弾性部材からなり下端部が支持体嵌合部６２に嵌合された支柱部、６４は支柱部６３の上端部に配設された板状の支持体、６５は支持体６４に形成された複数の収容物挿着孔である。なお、図６において、実施の形態２で説明したものと同様のものは同一の符号を付けて説明を省略する。
【００４１】
以上のように構成された本実施の形態４における包装容器６１が実施の形態２と異なる点は、支持体６４が複数の収容物挿着孔６５を備えると共に支持体６４が支柱部６３に支持されている点である。この相異により実施の形態２の作用に加え、以下のような作用を有する。
（１）支柱部６３が可撓性部材又は弾性部材により形成されているので、包装容器６１の揺動に伴って或いは単独で支持体６４及び収容物Ｘを容器本体３３の内部で揺動させることができ、ゲーム装置等に用いた場合は、見栄えがし操作者（プレーヤー）の注意を引くことができ、ゲーム性を高めることができる。
【産業上の利用可能性】
【００４２】
以上説明したように、本発明はゲーム装置等の景品や小型の玩具、ぬいぐるみ等の商品を収容する包装容器に関し、特に本発明によれば、景品や商品を包装容器内に固定できると共に包装容器の重心が低いので収容した景品や商品が常に上を向き見え易く見栄えがし、管理者等が包装容器の上下の向きを変える作業を要さず、また、包装容器が起上り小法師状に揺動するのでゲーム性を高めることができる包装容器を提供することができる。
【図面の簡単な説明】
【００４３】
【図１】実施の形態１における包装容器の斜視図
【図２】（ａ）実施の形態１における包装容器の要部縦断面図（ｂ）支持体の平面図
【図３】ゲーム装置の要部概略縦断面図
【図４】実施の形態２における包装容器の要部縦断面図
【図５】実施の形態３における包装容器の要部縦断面図
【図６】実施の形態４における包装容器の要部縦断面図
【符号の説明】
【００４４】
１，１′  包装容器
２ａ  上側分割容器
２ｂ  下側分割容器
３  曲面部
４  容器本体
５ａ  上側フランジ部（フランジ部）
５ｂ  下側フランジ部（フランジ部）
６ａ  係合凸部
６ｂ  係合凹部
７  回動連結部
８  支持体収納部
８ａ  支持体係止部
９  支持体
１０  収容物挿着孔
１１  収容物保持部
２１  ゲーム装置
２２  側面外装部
２３  透明外装部
２４  上側台部
２５  景品落とし口
２６  景品取り出し口
２７  可動台部
２８  クレーン部
２９  操作部
３１  包装容器
３２ａ  上側分割容器
３２ｂ  下側分割容器
３３  容器本体
３４ａ  上側嵌合部
３４ｂ  下側嵌合部
３５  支持体収納部
３５ａ  支持体係止部
５１  包装容器
５２ａ  左側分割容器
５２ｂ  右側分割容器
５３  容器本体
５４  曲面部
５５ａ  左側嵌合部
５５ｂ  右側嵌合部
５６ａ，５６ｂ  支持体収納部
５７  支持体
５８  収容物挿着孔
５９  収容物保持部
６１  包装容器
６２  支持体嵌合部
６３  支柱部
６４  支持体
６５  収容物挿着孔
Ｘ  収容物
【図１】
2006290450.tif 000003
【図２】
2006290450.tif 000004
【図３】
2006290450.tif 000005
【図４】
2006290450.tif 000006
【図５】
2006290450.tif 000007
【図６】
2006290450.tif 000008